【事件の表示】
　特願２００２−３１４３８５「バイオセンサ用セル」拒絶査定不服審判事件〔平成１６年　５月２７日出願公開、特開２００４−１５０８７９〕について、次のとおり審決する。
【結　論】
　本件審判の請求は、成り立たない。
【理　由】
第１　手続の経緯 
　本願は、平成１４年１０月２９日にされた特許出願（２００２年特許願第３１４３８５号。以下「本件出願」という。）につき、平成１９年９月２６日付けで拒絶査定（発送日：同年１０月２日）されたところ、拒絶査定不服審判が同年１１月１日に請求されたものである。
　　　　　　　　　　
第２　本件出願に係る発明
　本件出願の請求項１〜請求項４に係る発明は、平成１９年８月２３日付け手続補正書により補正された特許請求の範囲の記載からみて、特許請求の範囲の請求項１〜請求項４に記載された事項により特定されるとおりのものであって、その請求項１に係る発明（以下、「本願発明」という。）は次のとおりのものと認める。
　　　　　
「【請求項１】
　液体試料を注入する試料室の底面として板状圧電素子を用いるバイオセンサ用セルにおいて、前記圧電素子の上下両表面のうち、前記試料室側に面する上側の表面と、前記試料室の内壁のブラケット部とが圧着しないようにして充填用シリコン緩衝材を介在させ、下側の表面にそれぞれ電極に連なる複数のばね構造を取り付けて該圧電素子を支持させることを特徴とするバイオセンサ用セル。」
　　　　　
第３　引用刊行物の記載
（３Ａ）原査定の拒絶の理由に引用された引用文献（特開２００２−２４３６０８号公報、以下「引用刊行物Ａ」という。）には、次の事項が図面とともに記載されている。（下線は当審により付加されたものである。以下、同様である。）
（３Ａ−１）「【特許請求の範囲】
【請求項１】
所定の試料液体を収容するための収容部を有するセル本体
有する
測定用セル
【請求項２】前記発振子は、平板状の基部を有するとともに前記一対の電極が前記基部の表面と裏面に独立して設けられ、前記平板状の基部が試料液体の液面に対してほぼ平行になるように配置されていることを特徴とする請求項１記載の測定用セル。
【請求項３】前記発振子は、一対の電極のうち一方の電極を前記セル本体の収容部の外部側に配置した状態で前記試料液体を堰き止めるように構成されていることを特徴とする請求項１又は２のいずれか１項記載の測定用セル。
【請求項４】前記
セル本体は、前記発振子によって底部を兼用する
（３Ａ−２）「【０００１】
【発明の属する技術分野】本発明は、分析装置に用いる測定用セルに関し、特に、液体中に浸漬された水晶発振子の共振周波数や位相などの周波数特性を検出することにより、液体中の成分の分析や反応速度の解析を行う技術に関する。
【０００２】
【従来の技術】近年、電極表面に特定の物質が配置された水晶発振子を、例えば血液などの液体中で発振させ、水晶発振子の表面に液体中の成分が結合し、結合した成分の質量に応じて水晶発振子の発振周波数が減少するという現象を用いて、試料中の特定の成分の反応速度等を分析する分析装置が提案されている。」
（３Ａ−３）「【００２７】
【発明の実施の形態】以下、図面を参照して本発明の実施の形態について説明する。
　図１は、本実施の形態の分析装置の概略構成図、図２（ａ）は、本実施の形態の測定用セルの断面図、図２（ｂ）は、同測定用セルの水晶発振子の平面図、図２（ｃ）は、同測定用セルの水晶発振子の断面図である。
【００２８】図１に示すように、本実施の形態の分析装置１は、基本的に従来例と同様の構成を有するもので、後述する水晶発振子（発振子）３を有するセル（測定用セル）２と、このセル２を発振させるためのオシレータ４０及び直流電源４１を有する発振装置４と、水晶発振子３の発振周波数を検出するための周波数カウンタ５と、周波数カウンタの動作を制御し所定の情報処理を行うためのコンピュータ６とを備えている。
【００２９】図２（ａ）に示すように、本実施の形態のセル２は、例えば円筒など筒形状のセル本体２０を有し、このセル本体２０の底部近傍に水晶発振子３が配設されている。
【００３０】ここで、セル本体２０は、内部の観察のしやすさを考慮して例えばアクリル樹脂等の透光性の樹脂から形成されている。
【００３１】また、図２（ｂ）（ｃ）に示すように、
水晶発振子３
円板状の基部３０と、この基部３０の表面側と裏面側とにそれぞれ配置され
電極３１、３２とを有している
【００３２】本実施の形態の場合は、セル本体２０の内壁底部にフランジ部２１が形成され、このフランジ部２１の内側の開口部２２をセル本体２０の底部側から覆うように水晶発振子３が一体的に固定されている。
【００３３】この場合、
水晶発振子３は、
接着剤によってフランジ部２１の底側縁部に接着
スプリング２４、２５によってフランジ部２１の底側縁部に押圧されるように構成されている
【００３４】そして、セル本体２０の収容部２０ａに注入される溶液７を水晶発振子３によって堰き止めてセル本体２０の底部側から溶液７が漏れないようになっており、これにより、セル本体２０の収容部２０ａに溶液７を注入した場合には、水晶発振子３の表面側の電極３１のみが溶液７に曝され、裏面側の電極３２は溶液７に曝されない。」
　　　
　上記引用刊行物Ａの摘記事項（３Ａ−１）〜（３Ａ−３）の記載を参照すると、上記引用刊行物Ａには、
「所定の試料液体を収容するための収容部を有するセル本体２０と、
　セル本体２０のフランジ部２１の底側縁部に接着剤により接着され、セル本体２０の底部を兼用する、円板状の基部３０の表面側と裏面側とに配置された電極３１、３２からなる水晶発振子３と、
　水晶発振子３をフランジ部２１の底側縁部に押圧するスプリング２４、２５とを
　有する分析装置に用いる測定用セル。」
　の発明（以下、「引用発明」という。）が記載されているものと認める。
　　　　　　　　　　　　　　　　　
（３Ｂ）原査定の拒絶の理由に引用された引用文献（特開２００１−１５３７７７号公報、以下「引用刊行物Ｂ」という。）には、次の事項が図面とともに記載されている。
（３Ｂ−１）「【請求項１】表裏の両面と側面を有する水晶板と、
　前記水晶板の表面と裏面に設けられた電極と、
　前記裏面に設けられた一方の電極を覆い、前記水晶板の側面にその内壁が接する片面被覆材と、
　他方の電極が設けられている水晶板の表面と前記内壁との間に設けられる封止材と、
　を備えた水晶発振子。
【請求項２】前記封止材は、弾性体である請求項１に記載の水晶発振子。
【請求項３】前記封止材は、シリコン樹脂である請求項２に記載の水晶発振子。
【請求項４】　前記電極のそれぞれに接続されるリード端子を備え、
　前記リード端子は前記片面被覆材に覆われている、
　請求項１に記載の水晶発振子。
【請求項５】アルキルフェノールエトキシレートに対する抗体を前記他方の電極上に固定し、液体中に存在するアルキルフェノールエトキシレートを検出する、
　請求項１に記載の水晶発振子。
【請求項６】２重螺旋ＤＮＡを前記他方の電極上に固定し、液体中に存在するDNAとインターカレートするアルキルフェノールエトキシレートを検出する、請求項１に記載の水晶発振子。
【請求項７】１７β―エストラジオール抗体を前記他方の電極上に固定し、液体中に存在するビスフェノールＡを検出する、請求項１に記載の水晶発振子。
【請求項８】１７β―エストラジオール抗体を前記他方の電極上に固定し、液体中に存在するフタル酸エステルを検出する、請求項１に記載の水晶発振子。
【請求項９】前記抗体が生化学化合物に特異的に相互作用する抗体である、請求項５，７，８のいずれか一項に記載の水晶発振子。
【請求項１０】２重螺旋ＤＮＡを前記他方の電極上に固定し、液体中に存在する前記ＤＮＡとインターカレートする生化学化合物を検出する、請求項１に記載の水晶発振子。
【請求項１１】大腸菌に対する抗体を前記他方の電極上に固定し、液体中に存在する大腸菌を検出する、請求項１に記載の水晶発振子。
【請求項１２】レジオネラ菌に対する抗体を前記他方の電極上に固定し、液体中に存在するレジオネラ菌を検出する、請求項１に記載の水晶発振子。
【請求項１３】黄色ブドウ球菌に対する抗体を前記他方の電極上に固定し、液体中に存在する黄色ブドウ球菌を検出する、請求項１に記載の水晶発振子。
【請求項１４】血中細胞に対する抗体を前記他方の電極上に固定し、液体中に存在する血中細胞を検出する、請求項１に記載の水晶発振子。
【請求項１５】組織細胞に対する抗体を前記他方の電極上に固定し、液体中に存在する組織細胞を検出する、請求項１に記載の水晶発振子。
【請求項１６】　前記抗体が、特異的に認識する細胞に対して特異的に作用することを特徴とする請求項１１ないし１５のいずれか一項に記載の水晶発振子。」
（３Ｂ−２）「【０００１】
【発明の属する技術分野】本発明は、液体中に入れて液体中の物質の量を計測する水晶発振子に関する。」
（３Ｂ−３）「【０００２】
【従来の技術】水晶発振子は薄い水晶板の表面と裏面とに金属電極を蒸着したものである。水晶発振子の一例を図４に示す。図４（ａ）が平面図、図４（ｂ）が正面図である。水晶板１０の表面に電極１２が、裏面に電極１４が蒸着されている。電極１２、１４からは左側に電極が伸びており、その左端の部分を図示省略したクリップ型のリード線を接続して、図示省略した交流電源に接続する。ここで、電極１２、１４の間に交流電界を印加すると逆圧電効果により、水晶板１０は一定周期の振動を発生する。
【０００３】ここで、電極上に弾性体の薄膜が付着した場合、付着物の重量と振動数変化が比例関係にある。例えば、９ＭＨｚ、ＡＴ−ｃｕｔの水晶発振子では１ｎｇの物質が電極上に付着すると約１Ｈｚ振動数が減少する。これにより、微小な質量を有する物質の質量を計測できる。
【０００４】このような水晶発振子（当審注：「水晶振動子」は「水晶発振子」の誤記）は溶液中でも、溶液中の物質の質量の測定に使用できる。しかし、この場合は、電極１２と電極１４とが溶液により短絡（ショート）しないようにしなければならない。そこで、図５に示すように、Ｏリングにより水晶板を挟むようにする方法がとられている。図５（ａ）が平面図、図５（ｂ）が正面断面図である。このように、水晶板５０をＯリング５０、５２で挟みつけることで、Ｏリング５０、５２と水晶板５０との空間から溶液が進入しないようにしている。
【０００５】図５（ｃ）には、Ｏリング５０、５２の締付具も併せて示している。上部締付具６０はＯリング５０を、下部締付具６２はＯリング５２を受けている。上部締付具６０と下部締付具６２とは、止め具６４、６６で止められている。電極１２は溶液にさらされるが、電極１４は溶液にさらされない。よって、電極１２と電極１４とは短絡（ショート）しない。」
（３Ｂ−４）「【００３４】第一の実施形態
図１は本発明の実施の形態にかかる水晶発振子を示す図である。図１（ａ）は平面図、図１（ｂ）は正面断面図である。
【００３５】図１（ａ）を参照すると、水晶板１０の中央部には電極１２が蒸着されている。また、水晶板１０の円周に近い端部と片面被覆材３０との間にはシリコン樹脂、ゴムなどの弾性体である封止材４０が設けられており、水晶板１０の裏面への溶液の進入を防止している。
【００３６】図１（ｂ）を参照すると、
水晶板１０の表面１０ａ
裏面１０ｂには電極１４が蒸着され
片面被覆材３０の内壁３２は
この内壁３２と表面１０ａとの間に封止材４０が設けられている
封止材４０は内壁３２と表面１０ａとに接着してい
【００３７】電極１２は電極延伸部１２ａを介してリード端子２０に、電極１４は電極延伸部１４ａを介してリード端子２２に接続される。リード端子２０、２２は共に片面被覆材３０により覆われている。
【００３８】図２に、リード端子２０、２２を取りつけた水晶発振子１を示す。なお、図２においては、水晶板１０などを省略している。リード端子２０、２２は片面被覆材３０から露出している部分はシリコンゴムなどのリード端子カバー４２により覆われて、リード端子２０、２２のショートを防止している。
【００３９】図３に水晶発振子１の溶液計測への適用例を示す。水晶発振子１は水晶発振子取付アーム２に取り付けられ恒温ヒートブロック３中の溶液に浸されている。恒温ヒートブロック３は溶液の温度を一定に保つためのものである。溶液は攪拌機（スターラー）４により攪拌される。攪拌機４は一種のプロペラであり、回転することで溶液を攪拌する。また、サンプルイジェクション５は溶液中に質量を計測すべき試料を注入する。発振回路６は、水晶発振子１の電極１２、１４に交流電界を印加して水晶発振子１を発振させる。発振回路６の発振周波数はユニバーサルカウンタ７によりカウントされ、コンピュータ８により解析され、試料中の物質の質量などが表示される。
【００４０】本発明の第一の実施形態によれば、
封止材４０が溶液の電極１４側への侵入を防止
【００４１】また、
封止材４０はシリコン樹脂などの弾性体である
（３Ｂ−５）図５（ｃ）には、下部締付具６２に接するＯリング５２で支持される水晶発振子の水晶板１０の上面と、上部締付具６０の水晶板１０と平行な方向に伸びる突出部との間にＯリング５０を設けることが描かれている。
　　　　　　　　　　　　　　
第４　対比・判断 
（４−１）本願発明と引用発明とを対比する。 
（i）引用発明の「所定の試料液体を収容するための収容部を有するセル本体２０」が本願発明の「液体試料を注入する試料室」に相当する。
（ii）本件出願の明細書の段落【０００２】に「水晶振動子に代表される圧電素子に外部電圧を印加すると固有の周波数で共振する。」ことが記載されていることから、本願発明の「板状圧電素子」は水晶振動子を含むものである。
　他方、引用発明の「水晶発振子３」は、水晶振動子であり、さらに、例えば、特開昭６１−１９６１３４号公報の１頁右下欄９、１０行、特開平６−１５２２４４号公報の２頁２欄２行に記載されているように、圧電素子で構成することが技術常識であることから、引用発明の「円板状の基部３０の表面側と裏面側とに配置された電極３１、３２からなる水晶発振子３」は本願発明の「板状圧電素子」に相当し、本願発明の「板状圧電素子」と同様に、「液体試料を注入する試料室の底面として」用いるものである。
（iii）引用発明の「分析装置に用いる測定用セル」と本願発明の「バイオセンサ用セル」とは「測定用セル」である点で共通する。
（iv）引用発明の「セル本体２０のフランジ部２１」が本願発明の「試料室の内壁のブラケット部」に相当する。
（v）上記引用刊行物Ａの摘記事項（３Ａ−３）には「【００３３】この場合、水晶発振子３は、例えば接着剤によってフランジ部２１の底側縁部に接着され、さらに、セル本体２０の底端部に封止される台座２３との間に配設されるスプリング２４、２５によってフランジ部２１の底側縁部に押圧されるように構成されている。【００３４】そして、セル本体２０の収容部２０ａに注入される溶液７を水晶発振子３によって堰き止めてセル本体２０の底部側から溶液７が漏れないようになっており、これにより、セル本体２０の収容部２０ａに溶液７を注入した場合には、水晶発振子３の表面側の電極３１のみが溶液７に曝され、裏面側の電極３２は溶液７に曝されない。」ことが記載されていることから、引用発明の「接着剤」は、セル本体２０の底部側から溶液７が漏れて、水晶発振子３の裏面側の電極３２が溶液７に曝されないようにするための液漏れ防止用の部材であるものと解される。
　他方、本件出願の明細書の発明の詳細な説明には、「【００１１】【課題を解決するための手段】上記課題を解決するため、本発明は、液体試料を注入する試料室の底面として板状圧電素子を用いるバイオセンサ用セルに、圧電素子の上下両表面のうち、試料室側に面する上側の表面で、充填用シリコン緩衝材を介して試料室内壁に接合させ、下側の表面にそれぞれ電極に連なる複数のばね構造を取り付けて圧電素子を支持させるようにした。【００１２】これによれば、下側の表面に接続したばね構造により支持された板状圧電素子が、その上側の表面と試料室内壁との間にシリコン緩衝材を充填させた状態で試料室内壁に当接し、これにより試料室の全内壁が隙間なく形成されるので、液洩れが防止された試料室空間を得ることができる。」ことが記載されていることから、引用発明の「接着剤」と本願発明「シリコン充填材料」とは「液洩れ防止用の部材」である点で共通する。
　そして、引用発明の「接着剤」により、セル本体２０のフランジ部２１の底側縁部と、セル本体２０の底部を兼用する水晶発振子３とが接着されるから、引用発明の「接着剤」が、セル本体２０のフランジ部２１の底側縁部と水晶発振子３の上面との間に介在することは明らかである。そうすると、引用発明の「分析装置に用いる測定用セル」と本願発明の「バイオセンサ用セル」とは、「前記発振素子の上下両表面のうち、前記試料室側に面する上側の表面と、前記試料室の内壁のブラケット部との間に液洩れ防止用の部材を介在させ」ている点で共通するものである。
（vi）引用発明の「スプリング２４、２５」が本願発明の「複数のばね構造」に相当する。
　そして、引用発明の「スプリング２４、２５」は、水晶発振子３をフランジ部２１の底側縁部に押圧するから、引用発明の「分析装置に用いる測定用セル」と本願発明の「バイオセンサ用セル」とは、「前記発振素子の上下両表面のうち」、「下側の表面にそれぞれ電極に連なる複数のばね構造を取り付けて該発振素子を支持させる」点で共通するものである。
　　　　　
　そうすると、本願発明と引用発明とは、
「液体試料を注入する試料室の底面として板状圧電素子を用いる測定用セルにおいて、
　前記圧電素子の上下両表面のうち、前記試料室側に面する上側の表面と、前記試料室の内壁のブラケット部との間に液洩れ防止用の部材を介在させ、
　下側の表面にそれぞれ電極に連なる複数のばね構造を取り付けて該圧電素子を支持させる測定用セル。」である点で一致し、次の相違点（ア）及び相違点（イ）で相違している。
　　　
・相違点（ア）
　測定用セルが、本願発明では、「バイオセンサ用セル」であるのに対して、引用発明では「分析装置に用いる測定用セル」である点。
　　
・相違点（イ）
　液洩れ防止用の部材が、本願発明では「充填用シリコン緩衝材」であり、「充填用シリコン緩衝材」が「圧電素子の上下両表面のうち、試料室側に面する上側の表面と、試料室の内壁のブラケット部とが圧着しないようにして」介在しているのに対して、引用発明では「接着剤」である点。
　　　　
（４−２）当審の判断
　上記相違点（ア）及び相違点（イ）について判断する。
・相違点（ア）について
　上記引用刊行物Ｂの摘記事項（３Ｂ−１）には、抗体や２重螺旋ＤＮＡを水晶発振子の一方の電極上に固定し、液体中に存在する、アルキルフェノールエトキシレート、ＤＮＡとインターカレートするアルキルフェノールエトキシレート、ビスフェノールＡ、フタル酸エステル、大腸菌、レジオネラ菌、黄色ブドウ球菌、組織細胞などを検出する水晶発振子が記載されている。
　他方、引用発明の測定用セルも上記引用刊行物Ａの摘記事項（３Ａ−１）に記載されているように、液体中の成分の分析などに用いられことから、引用発明の分析装置に用いる測定用セルも上記引用刊行物Ｂに記載された水晶発振子もともに、水晶発振子を用いて液体試料の成分を分析する点で共通するものである。
　そうすると、引用発明の分析装置に用いる測定セルを、上記引用刊行物Ｂに記載された発明のように、抗体や２重螺旋ＤＮＡを水晶発振子の一方の電極上に固定し、液体中に存在する、アルキルフェノールエトキシレート、ＤＮＡとインターカレートするアルキルフェノールエトキシレート、ビスフェノールＡ、フタル酸エステル、大腸菌、レジオネラ菌、黄色ブドウ球菌、組織細胞などを検出する水晶発振子とすること、すなわち、本願発明のごとく、バイオセンサ用セルとして用いることは当業者が容易になし得るものである。
　　　　　　　　　　
・相違点（イ）について
　上記引用刊行物Ｂの摘記事項（３Ｂ−４）には、片面被覆材３０の内壁３２と水晶発振子１の水晶板１０の表面１０ａとの間にシリコン樹脂からなる弾性体の封止材４０が設けられ、水晶板１０の裏面１０ｂの電極１４側への溶液の侵入を防止することが記載されているところ、上記弾性体が緩衝材であることは明らか（例えば、特開昭６３−１５９１２６号公報の４頁左上欄５〜１２行、又は特開平１１−２４２２７３号公報の７頁１１欄１８〜２４行の記載参照）であり、さらに、一般に、シリコン樹脂が充填されて使用されることも、例えば特開昭５９−３１４２７号公報の２頁右上欄５〜７行、特開平８−３９２７号公報の４頁６欄１０〜１６行、あるいは特開平１０−１０８４４８号公報４頁５欄９〜１４行、２９〜３０行、５頁８欄１５〜１７行に記載されているように、本件出願前によく知られた技術事項である。
　他方、上記（４−１）の（v）に記載したように、引用発明の接着剤は、セル本体２０の底部側から溶液７が漏れて、水晶発振子３の裏面側の電極３２が溶液７に曝されないようにするための液漏れ防止用の部材であり、さらに、引用発明の接着剤と上記引用刊行物Ｂに記載された発明のシリコン樹脂からなる封止材４０とはともに水晶発振子の裏面が溶液で曝されないようにするための液洩れ防止用の部材である点で共通するものであるから、引用発明の測定用セルにおいて、セル本体２０の底部側から溶液７が漏れて、水晶発振子３の裏面側の電極３２が溶液７に曝されないようにするための液漏れ防止用の部材として、接着剤の代わりに、シリコン樹脂で、緩衝材となる弾性体の封止材を用いることは当業者が容易になし得るものである。
　そして、上述したように、シリコン樹脂は充填されて使用されることが本件出願前によく知られた事項であるから、上記引用刊行物Ｂに記載された封止材４０を構成するシリコン樹脂を充填用シリコンとして用いることも当業者が必要に応じ採用しうる程度の技術的事項にすぎないのであり、さらに、液漏れ防止用の部材として、セル本体２０のフランジ部２１の底側縁部と水晶発振子３の上面との間に配置された引用発明の接着剤の代わりに、シリコン樹脂の封止材を用いれば、封止材は弾性体であるから、封止材が緩衝材となって水晶発振子３の上面とセル本体２０のフランジ部２１の底側縁部とが圧着されない、すなわち、本願発明のごとく、「圧電素子の上下両表面のうち、試料室側に面する上側の表面と、前記試料室の内壁のブラケット部とが圧着しないようにして」介在することは自明な事項である。
　また、上記引用刊行物Ｂの上記摘記事項（３Ｂ−３）及び（３Ｂ−５）には、それぞれ「【０００４】・・・図５に示すように、Ｏリングにより水晶板を挟むようにする方法がとられている。・・・このように、水晶板５０をＯリング５０、５２で挟みつけることで、Ｏリング５０、５２と水晶板５０との空間から溶液が進入しないようにしている。【０００５】図５（ｃ）には、Ｏリング５０、５２の締付具も併せて示している。上部締付具６０はＯリング５０を、下部締付具６２はＯリング５２を受けている。上部締付具６０と下部締付具６２とは、止め具６４、６６で止められている。電極１２は溶液にさらされるが、電極１４は溶液にさらされない。」こと、及び「図５（ｃ）には、下部締付部６２に接するＯリング５２で支持される水晶発振子の水晶板１０の上面と、上部締付具６０の水晶板１０と平行な方向に伸びる突出部との間にＯリング５０を設ける」ことが記載されており、このＯリングは，例えば特開平９−２８８２６７号公報の３欄４５〜４７行、６欄２９、３０行，又は特開平１１−３０７２２４号公報の４欄４７〜４９行、５欄３９〜４１行に記載されているように、弾性体であることが技術常識であることから、この引用刊行物Ｂには、封止材４０と同様に弾性を有するＯリング５０を、引用発明のスプリング２４、２５と同様に弾性部材であるＯリングで支持される水晶発振子の水晶板１０の上面と、引用発明のフランジ部２１に相当する上面上部締付具６０の水晶板１０と平行な方向に伸びる突出部との間に設けて、Ｏリング５０と水晶板の空間から溶液が侵入しないようにすることが記載されていることになる。そうすると、上述したように、引用発明の測定用セルにおいて、液漏れ防止用の部材として、スプリング２４、２５で押圧される水晶発振子３の上面と、フランジ部２１の底側縁部との間に設けた接着剤の代わりに、シリコン樹脂からなる弾性体の封止材４０を用いることに何ら阻害要因が生じないことは明らかである。
　　
　そして、本願発明によってもたらされる効果は、引用発明、引用刊行物Ｂに記載された発明及び周知の技術事項から予測される範囲内のものであって、格別のものではない。 
　したがって、本願発明は、引用発明、引用刊行物Ｂに記載された発明及び周知の技術事項に基づいて当業者が容易に発明をすることができたものである。
　　　　　　　　　　　　
第５　むすび 
　以上のとおりであるから、本願発明は、特許法第２９条第２項の規定により特許を受けることができないものであり、その余の請求項に係る発明について検討するまでもなく、本件出願は、拒絶をすべきものである。 
　よって、結論のとおり審決する。